(57)【要約】    【課題】  適切な色飽和度の映像信号により高画質の映像表示が可能な映像表示技術の提供。    【解決手段】  色差信号から色ヒストグラム情報を検出するとともに、輝度信号から平均輝度レベル情報または輝度ヒストグラム情報を検出し、該検出した色ヒストグラム情報と、平均輝度レベル情報もしくは輝度ヒストグラム情報とに基づき色差信号の復調軸調整を制御し、該復調軸調整した信号と上記輝度信号を併せてマトリクス変換し、所定の色飽和度の映像信号として出力し、該映像信号で映像表示を行う。【選択図】  図１
2006311179.tif 000002
【特許請求の範囲】
【請求項１】
映像表示装置において、
入力された映像信号の輝度情報と、彩度分布に関する彩度ヒストグラム情報を検出する検出部と、
上記検出された輝度情報及び彩度ヒストグラム情報に基づいて、上記映像信号の彩度を制御するための制御部と、
を備えたことを特徴とする映像表示装置。
【請求項２】
上記検出部は、上記輝度情報として、映像信号の１フレームまたは１フィールド期間における平均輝度情報を検出し、上記彩度ヒストグラム情報として、映像信号の１フレームまたは１フィールド期間における複数の彩度レベル領域毎の度数を検出する構成を備える請求項１に記載の映像表示装置。
【請求項３】
上記制御部は、上記検出された平均輝度情報が所定値以下で、かつ上記検出された彩度ヒストグラム情報において、所定レベル以下の彩度レベル領域の度数が所定値以下のときに、上記映像信号の彩度を低くするように制御する構成を備える請求項２に記載の映像表示装置。
【請求項４】
上記制御部は、上記検出された平均輝度情報が所定値以上で、かつ上記検出された彩度ヒストグラム情報において、所定レベル以上の彩度レベル領域の度数が所定値以上のときに、上記映像信号の彩度を高くするように制御する構成を備える請求項２に記載の映像表示装置。
【請求項５】
色差信号と輝度信号とに基づき映像の画質制御を行う構成を備えた映像表示装置であって、
復調軸調整回路により上記色差信号の復調軸調整を行った後、該復調軸調整した信号と上記輝度信号を併せてマトリクス変換し、映像表示可能な映像信号として出力するマトリクス回路と、
上記色差信号に基づく色ヒストグラム情報の検出、及び、上記輝度信号に基づく平均輝度レベル情報もしくは輝度ヒストグラム情報の検出を行う検出手段と、
上記検出された色ヒストグラム情報と、上記平均輝度レベル情報もしくは上記輝度ヒストグラム情報とに基づき、上記マトリクス回路における上記復調軸調整回路を制御する制御手段と、
上記マトリクス回路側から出力された上記映像信号により映像表示を行う表示部と、
を備え、上記色ヒストグラム情報と、上記平均輝度レベル情報もしくは上記輝度ヒストグラム情報とに基づき制御された色飽和度の映像信号により、上記表示部に映像表示を行う構成としたことを特徴とする映像表示装置。
【請求項６】
上記制御手段は、上記検出手段で検出された平均輝度レベルが低く、かつ上記色ヒストグラム情報における大振幅部分の度数が低いときまたは小振幅部分の度数が高いときは、上記マトリクス回路の上記復調軸調整回路に上記映像信号の色飽和度を下げる復調軸調整を行わせて色を薄くさせ、また、上記平均輝度レベルが高く、かつ上記色ヒストグラム情報における上記大振幅部分の度数が低いときまたは上記小振幅部分の度数が高いときは、上記復調軸調整回路に上記色飽和度を上げる復調軸調整を行わせて色を濃くさせる構成である請求項５に記載の映像表示装置。
【請求項７】
上記制御手段は、上記検出手段で検出された平均輝度レベルが低くかつ上記色ヒストグラム情報における大振幅部分の度数が高いときは、上記マトリクス回路の上記復調軸調整回路に上記映像信号の色飽和度を下げる復調軸調整を行わせ、暗い映像における色乗りを減らすようにする構成である請求項５に記載の映像表示装置。
【請求項８】
上記制御手段は、上記検出手段で検出された輝度ヒストグラム情報における大振幅部分の度数が低いまたは小振幅部分の度数が高く、かつ上記色ヒストグラム情報における大振幅部分の度数が低いときまたは小振幅部分の度数が高いときは、上記マトリクス回路の上記復調軸調整回路に上記映像信号の色飽和度を下げる復調軸調整を行わせて色を薄くさせ、また、上記輝度ヒストグラム情報における大振幅部分の度数が高く、かつ上記色ヒストグラム情報における大振幅部分の度数が低いときまたは小振幅部分の度数が高いときは、上記映像信号の色飽和度を上げる復調軸調整を行わせて色を濃くさせる構成である請求項５に記載の映像表示装置。
【請求項９】
上記制御手段は、上記検出手段で検出された輝度ヒストグラムにおける大振幅部分の度数が低いまたは小振幅部分の度数が高く、かつ上記色ヒストグラム情報における大振幅部分の度数が高いときは、上記マトリクス回路の上記復調軸調整回路に上記映像信号の色飽和度を下げる復調軸調整を行わせ、暗い映像の色乗りを減らす構成である請求項５に記載の映像表示装置。
【請求項１０】
上記制御手段は、上記検出手段で検出された上記平均輝度レベル、上記色ヒストグラム情報における所定の振幅部分の度数または上記輝度ヒストグラムにおける大振幅部分の度数を、それぞれ基準値と比較して複数ランクにランク分けする構成を備える請求項５に記載の映像表示装置。
【請求項１１】
上記表示部が液晶パネルである場合に、上記制御手段は、上記検出手段で検出された平均輝度レベルが低く、かつ上記色ヒストグラム情報における大振幅部分の度数が低いときまたは小振幅部分の度数が高いときは、上記マトリクス回路の上記復調軸調整回路に上記映像信号の色飽和度を上げる復調軸調整を行わせて色を薄くさせ、また、上記平均輝度レベルが高く、かつ上記色ヒストグラム情報における上記大振幅部分の度数が低いときまたは上記小振幅部分の度数が高いときは、上記復調軸調整回路に上記色飽和度を下げる復調軸調整を行わせて色を濃くさせる構成である請求項５に記載の映像表示装置。
【請求項１２】
色差信号及び輝度信号に基づき映像の画質制御を行う映像信号処理回路であって、
復調軸調整回路により上記色差信号の復調軸調整を行った後、該復調軸調整した信号と上記輝度信号を併せてマトリクス変換し、映像表示可能な映像信号として出力するマトリクス回路と、
上記色差信号に基づく色ヒストグラム情報の検出、及び、上記輝度信号に基づく平均輝度レベル情報もしくは輝度ヒストグラム情報の検出を行う検出手段と、
上記検出された色ヒストグラム情報と、上記平均輝度レベル情報もしくは上記輝度ヒストグラム情報とに基づき、上記マトリクス回路における上記復調軸調整回路を制御する制御手段と、
を備え、上記色ヒストグラム情報と、上記平均輝度レベル情報もしくは上記輝度ヒストグラム情報とに基づき制御された色飽和度の映像信号を、上記マトリクス回路から出力する構成としたことを特徴とする映像信号処理回路。
【請求項１３】
上記制御手段は、上記検出手段で検出された平均輝度レベルが低く、かつ上記色ヒストグラム情報における大振幅部分の度数が低いときまたは小振幅部分の度数が高いときは、上記マトリクス回路の上記復調軸調整回路に上記映像信号の色飽和度を下げる復調軸調整を行わせ、また、上記平均輝度レベルが高く、かつ上記色ヒストグラム情報における上記大振幅部分の度数が低いときまたは上記小振幅部分の度数が高いときは、上記復調軸調整回路に上記映像信号の色飽和度を上げる復調軸調整を行わせる構成である請求項１２に記載の映像信号処理回路。
【請求項１４】
上記制御手段は、上記検出手段で検出された平均輝度レベルが低くかつ上記色ヒストグラム情報における大振幅部分の度数が高いときは、上記マトリクス回路の上記復調軸調整回路に上記映像信号の色飽和度を下げる復調軸調整を行わせる構成である請求項１２に記載の映像信号処理回路。
【請求項１５】
上記制御手段は、上記検出手段で検出された輝度ヒストグラム情報における大振幅部分の度数が低いまたは小振幅部分の度数が高く、かつ上記色ヒストグラム情報における大振幅部分の度数が低いときまたは小振幅部分の度数が高いときは、上記マトリクス回路の上記復調軸調整回路に上記映像信号の色飽和度を下げる復調軸調整を行わせ、また、上記輝度ヒストグラム情報における大振幅部分の度数が高く、かつ上記色ヒストグラム情報における大振幅部分の度数が低いときまたは小振幅部分の度数が高いときは、上記復調軸調整回路に上記映像信号の色飽和度を上げる復調軸調整を行わせる構成である請求項１２に記載の映像信号処理回路。
【請求項１６】
上記制御手段は、上記検出手段で検出された輝度ヒストグラム情報における大振幅部分の度数が低くかつ上記色ヒストグラム情報における大振幅部分の度数が高いときは、上記マトリクス回路の上記復調軸調整回路に上記色飽和度を下げる復調軸調整を行わせる構成である請求項１３に記載の映像信号処理回路。
【請求項１７】
上記制御手段は、上記検出手段で検出された平均輝度レベルが低く、かつ上記色ヒストグラム情報における大振幅部分の度数が低いときまたは小振幅部分の度数が高いときは、上記マトリクス回路の上記復調軸調整回路に上記映像信号の色飽和度を上げる復調軸調整を行わせ、また、上記平均輝度レベルが高く、かつ上記色ヒストグラム情報における上記大振幅部分の度数が低いときまたは上記小振幅部分の度数が高いときは、上記復調軸調整回路に上記映像信号の色飽和度を下げる復調軸調整を行わせる構成である請求項１２に記載の映像信号処理回路。
【請求項１８】
映像表示装置の映像信号の色飽和度を制御する色飽和度制御方法であって、
色差信号から色ヒストグラム情報を検出するとともに、輝度信号から平均輝度レベル情報または輝度ヒストグラム情報を検出する第１のステップと、
上記検出された色ヒストグラム情報と、上記平均輝度レベル情報もしくは上記輝度ヒストグラム情報とに基づき、上記色差信号の復調軸調整を制御する第２のステップと、
上記復調軸調整した信号と上記輝度信号を併せてマトリクス変換し、所定の色飽和度の映像信号として出力する第３のステップと、
を経て、映像信号の色飽和度を制御することを特徴とする映像信号の色飽和度制御方法。
【請求項１９】
上記第２のステップでは、上記平均輝度レベルが低く、かつ上記色ヒストグラム情報における大振幅部分の度数が低いときまたは小振幅部分の度数が高いときは、上記映像信号の色飽和度を下げる復調軸調整を行い、また、上記平均輝度レベルが高く、かつ上記色ヒストグラム情報における上記大振幅部分の度数が低いときまたは上記小振幅部分の度数が高いときは、上記映像信号の色飽和度を上げる復調軸調整を行う請求項１８に記載の映像信号の色飽和度制御方法。
【請求項２０】
上記第２のステップでは、上記輝度ヒストグラム情報における大振幅部分の度数が低いまたは小振幅部分の度数が高く、かつ上記色ヒストグラム情報における大振幅部分の度数が低いときまたは小振幅部分の度数が高いときは、上記映像信号の色飽和度を下げる復調軸調整を行い、また、上記輝度ヒストグラム情報における大振幅部分の度数が高く、かつ上記色ヒストグラム情報における上記大振幅部分の度数が低いときまたは上記小振幅部分の度数が高いときは、上記映像信号の色飽和度を上げる復調軸調整を行う請求項１８に記載の映像信号の色飽和度制御方法。
【請求項２１】
上記第２のステップでは、上記復調軸調整において、上記平均輝度レベルもしくは上記輝度ヒストグラム情報に基づき求めた色飽和度補正量を、上記色ヒストグラム情報に基づき求めた色飽和度抑制係数により補正する請求項１８に記載の映像信号の色飽和度制御方法。
【請求項２２】
上記第２のステップでは、上記復調軸調整を、所定の色相範囲にある色差信号について行うことを特徴とする請求項１８に記載の映像信号の色飽和度制御方法。
【発明の詳細な説明】
【技術分野】
【０００１】
本発明は、テレビジョン信号やパーソナルコンピュータ等におけるデジタル映像信号の処理技術に係り、特に、色飽和度を制御する技術に関する。
【背景技術】
【０００２】
本発明の従来技術としては、例えば、特開２００４−２４１８８２号公報（特許文献１）や特開２０００−３９８６２号公報（特許文献２）に記載されたものがある。特開２００４−２４１８８２号公報には、最適な肌色再現状態の映像を得るために、１フレームの映像信号の肌色部分の輝度分布に応じ、ヒストグラム変換型階調補正を行うともに、色飽和度補正を行うとする技術が記載され、特開２０００−３９８６２号公報には、液晶表示装置において、低輝度レベルでの彩度の低下をなくし、くすみのない映像を表示するために、入力映像信号の平均映像レベル（平均輝度レベル）を検出し、該検出した平均映像レベルで映像信号の利得を制御し、映像信号の所望色相の彩度を制御するとした技術が記載されている。
【０００３】
【特許文献１】特開２００４−２４１８８２号公報
【特許文献２】特開２０００−３９８６２号公報
【発明の開示】
【発明が解決しようとする課題】
【０００４】
上記従来技術のうち、特開２００４−２４１８８２号公報記載の技術では、映像信号の肌色部分のみについて階調や色飽和度の補正を行うものであり、他の色範囲についての適切な補正は難しいと考えられる。また、特開２０００−３９８６２号公報記載の技術では、映像信号から検出された輝度レベルが低い場合（低輝度時）に、彩度を上げるようにしているが、彩度情報に考慮した彩度制御を行っていない。このため、低輝度時の彩度が高い場合には、さらに彩度を高めてしまうようなことも起り得ると考えられ、このようなときには、暗い映像にもかかわらず色の濃い不自然な映像となってしまうおそれがある。
本発明の課題点は、かかる従来技術に鑑み、映像表示装置において映像信号を、輝度レベルと色分布状態に対応した適切な色飽和度（彩度または色の濃さ）で表示部側に出力することができるようにすることである。
また、本発明の目的は、輝度に応じた適切な彩度を有する高画質の映像表示が可能な技術を提供することにある。
【課題を解決するための手段】
【０００５】
上記目的を達成するために、本発明では、入力された映像信号の輝度情報と、彩度分布に関する色ヒストグラム情報（彩度ヒストグラム情報）を検出し、該検出された輝度情報及び彩度ヒストグラム情報に基づいて映像信号の彩度を制御することを特徴とする。具体的には、本発明に係る映像表示技術は、次の通りである。すなわち、色差信号から色ヒストグラム情報（彩度ヒストグラム情報）を検出するとともに、輝度信号から平均輝度レベル情報または輝度ヒストグラム情報を検出し、該検出した色ヒストグラム情報と、上記平均輝度レベル（ＡＰＬ）情報もしくは上記輝度ヒストグラム情報とに基づき上記色差信号の復調軸調整を制御し、該復調軸調整した信号と上記輝度信号を併せてマトリクス変換し、所定の色飽和度の映像信号として出力し、該映像信号で映像表示を行う。例えば、色ヒストグラム情報と平均輝度レベル情報を用いて上記復調軸調整を制御する場合、平均輝度レベルが低く、かつ色ヒストグラム情報における大振幅部分の度数が低いときまたは小振幅部分の度数が高いときは、映像信号の色飽和度を下げる復調軸調整を行い、また、平均輝度レベルが高く、かつ色ヒストグラム情報における大振幅部分の度数が低いときまたは小振幅部分の度数が高いときは、映像信号の色飽和度を上げる復調軸調整を行う。色ヒストグラム情報と輝度ヒストグラム情報を用いて上記復調軸調整を制御する場合も同様である。また、平均輝度レベルが低くかつ上記色ヒストグラム情報における大振幅部分の度数が高いときは、映像信号の色飽和度を下げる復調軸調整を行い、暗い映像における色乗りを減らすようにする。
具体的には、本発明は、上記を基本構成要件とする映像表示装置、映像信号処理回路及び映像信号の色飽和度制御方法である。
【発明の効果】
【０００６】
本発明によれば、映像表示装置において、輝度レベルと色分布状態に対応した適切な色飽和度の映像信号を生成することができ、高画質の映像表示が可能となる。
【発明を実施するための最良の形態】
【０００７】
以下、本発明を実施するための最良の形態につき、図面を用いて説明する。
図１〜図７は、本発明の第１の実施例の説明図である。本第１の実施例は、平均輝度レベル情報と色ヒストグラム情報とに基づき映像信号の色飽和度を制御する場合である。図１は、本発明の第１の実施例としての映像表示装置の基本構成例図、図２は、図１の映像表示装置のマトリクス回路において、平均輝度レベル（ＡＰＬ）に応じ映像信号の色飽和度を増大または減少させる場合の説明図、図３は、図１の映像表示装置の表示部が液晶パネルの場合、マトリクス回路において平均輝度レベルに応じ色飽和度を変化させる場合の説明図、図４は、図１の映像表示装置のマトリクス回路において、色ヒストグラム情報により色飽和度変化を抑制する場合の説明図、図５は、図１の映像表示装置のマトリクス回路における平均輝度レベル情報と色ヒストグラム情報とに基づく色飽和度制御の説明図、図６は、図１の映像表示装置の色ヒストグラム検出部で検出される色ヒストグラム情報の例（検出例）を示す図、図７は、図１の映像表示装置における映像信号の色飽和度補正の動作説明図である。
【０００８】
図１において、１１はアンテナ、１２はデジタルチューナ、１３は、入力される色差信号Ｃｂ、Ｃｒから色ヒストグラム情報を検出する検出手段としての色ヒストグラム検出部、１４は、入力される輝度信号Ｙから平均輝度レベル情報を検出する検出手段としての平均輝度検出部、１５は、制御手段または制御部としてのマイコン、１６は、色差信号Ｃｂ、Ｃｒと輝度信号Ｙが入力され、マイコン１５により制御されて所定の色飽和度の映像信号を生成して出力するマトリクス回路、１６ａは、マトリクス回路１６内にあって、マイコン１５からの制御信号により色差信号Ｃｂ、Ｃｒの復調軸調整を行う復調軸調整回路、１６ｂは、同じくマトリクス回路１６内にあって、上記復調軸調整で形成した信号（Ｒ−Ｙ、Ｒ−Ｇ、Ｒ−Ｂ）と上記輝度信号Ｙを併せてマトリクス変換するマトリクス変換回路、１７は、マトリクス回路１６側からの所定の色飽和度の映像信号により映像表示を行う表示部である。制御手段または制御部としてのマイコン１５では、検出された上記平均輝度レベル情報及び色ヒストグラム情報に基づき、上記復調軸調整回路１６ａを制御するための制御信号が形成される。復調軸調整回路１６ａでは、該制御信号により復調軸調整動作が制御される。すなわち、該復調軸調整回路１６ａでは、上記平均輝度レベル情報及び色ヒストグラム情報に基づき、映像信号の色飽和度を増減させる復調軸調整が行われる。マトリクス変換回路１６ｂに対し輝度信号Ｙは、遅延合わせ処理などをされてから入力される。上記色ヒストグラム検出部１３、上記平均輝度検出部１４、上記マイコン１５及び上記マトリクス回路１６は、映像信号処理回路を構成する。ここで、上記色ヒストグラム検出部１３は、映像信号の１フレームもしくは１フィールド期間における映像信号の色飽和度のヒストグラムすなわち色ヒストグラム（彩度ヒストグラム）を検出するものとする。また、平均輝度検出部１４も、映像信号の１フレームもしくは１フィールド期間における映像信号の輝度ヒストグラムを検出するものとする。なお、以下の説明において、色飽和度とは彩度もしくは色の濃さと同じ意味であるものとする。
【０００９】
上記構成において、制御手段または制御部としてのマイコン１５は、検出された上記平均輝度レベルと上記色ヒストグラム情報における所定の振幅部分の度数とをそれぞれ、基準値と比較して複数ランクにランク分けし該ランクを判別する。例えば、上記平均輝度検出部１４で検出された平均輝度レベルが低く（低ランク）、かつ上記色ヒストグラム検出部１３で検出された色ヒストグラム情報における大振幅部分の度数が低い（低ランク）ときまたは小振幅部分の度数が高い（高ランク）ときは、上記マトリクス回路１６の復調軸調整回路１６ａに対し、映像信号の色飽和度を下げるような復調軸調整を行わせて色を薄くさせる制御を行う。マイコン１５は、また、上記平均輝度レベルが高く、かつ上記色ヒストグラム情報における上記大振幅部分の度数が低いときまたは上記小振幅部分の度数が高いときには、復調軸調整回路１６ａに上記色飽和度を上げる復調軸調整を行わせて色を濃くさせる制御を行う。さらに、マイコン１５は、上記平均輝度検出部１４で検出された平均輝度レベルが低く、かつ上記色ヒストグラム検出部１３で検出された色ヒストグラム情報における大振幅部分の度数が高いときは、上記復調軸調整回路１６ａに上記映像信号の色飽和度を下げる復調軸調整を行わせ、暗い映像における色乗りを減らす制御を行う。
以下の説明中で用いる図１の装置の構成要素には、図１に用いた符号と同じ符号を付して用いるとする。また、以下の説明において、色飽和度は、彩度もしくは色の濃さと同じ意味であるものとする。
【００１０】
図２は、図１の映像表示装置のマトリクス回路において、平均輝度レベル（ＡＰＬ）に応じ映像信号の色飽和度を増大または減少させる場合の説明図である。本場合は、平均輝度レベル（ＡＰＬ）が高いときに色飽和度を上げ、平均輝度レベル（ＡＰＬ）が低いときに色飽和度を下げるとした例である。
図２において、横軸は平均輝度レベル（ＡＰＬ）、縦軸は映像信号の色飽和度補正量すなわち彩度補正量（ゲイン）である。横軸における「ＳＡＴＵＰ」、「ＳＡＴＤＯＷＮ」はそれぞれ、平均輝度レベル（ＡＰＬ）の閾値、「ＡＰＬ１」は、閾値「ＳＡＴＵＰ」、「ＳＡＴＤＯＷＮ」それぞれの上限値、「ＡＰＬ０」は、閾値「ＳＡＴＵＰ」、「ＳＡＴＤＯＷＮ」それぞれの下限値、縦軸における「ＳＡＴＵＰＧＡＩＮ」は彩度補正量の上限値、「ＳＡＴＤＯＷＮＧＡＩＮ」は彩度補正量の下限値である。例えば、平均輝度検出部１４で検出された平均輝度レベル（ＡＰＬ）が高く、マイコン１５による判別の結果、閾値「ＳＡＴＵＰ」の下限値「ＡＰＬ０」以上のときは、マイコン１５は、映像信号の彩度を増大させるように、平均輝度レベル（ＡＰＬ）に応じた彩度の増大補正量を演算する。また、平均輝度検出部１４で検出された平均輝度レベル（ＡＰＬ）が低く、マイコン１５による判別の結果、閾値「ＳＡＴＤＯＷＮ」の上限値「ＡＰＬ１」以下のときは、マイコン１５は、映像信号の彩度を減らすように、平均輝度レベル（ＡＰＬ）に応じた彩度の減少補正量を演算する。これら彩度の増大補正量や減少補正量の演算結果はさらに、マイコン１５により、色ヒストグラム検出部１３で検出された色ヒストグラム情報に基づく抑制係数で補正される。
【００１１】
図３は、図１の映像表示装置の表示部が液晶パネルであるとき、マトリクス回路において平均輝度レベルに応じ色飽和度（彩度）を変化させる場合の説明図である。本液晶パネルの場合は、平均輝度レベル（ＡＰＬ）が低い場合に色抜けが生じ易いため、これを改善するために、平均輝度レベル（ＡＰＬ）が高いときに色飽和度を下げ、平均輝度レベル（ＡＰＬ）が低いときに色飽和度を上げる。
図３において、横軸は平均輝度レベル（ＡＰＬ）、縦軸は液晶パネルに対応させる映像信号の色飽和度補正量すなわちＬＣＤ彩度補正量（ゲイン）である。図中の各符号は、上記２の場合と同じである。例えば、平均輝度検出部１４で検出された平均輝度レベル（ＡＰＬ）が、マイコン１５による判別の結果、閾値「ＳＡＴＤＯＷＮ」の下限値「ＡＰＬ０」以上のときは、マイコン１５は、映像信号の彩度を減らすように、平均輝度レベル（ＡＰＬ）に応じた彩度の減少補正量を演算する。また、平均輝度検出部１４で検出された平均輝度レベル（ＡＰＬ）が、マイコン１５による判別の結果、閾値「ＳＡＴＵＰ」の上限値「ＡＰＬ１」以下のときは、マイコン１５は、映像信号の彩度を増大させるように、平均輝度レベル（ＡＰＬ）に応じた彩度の増大補正量を演算する。これら彩度の減少補正量や増大補正量の演算結果はさらに、マイコン１５により、色ヒストグラム検出部１３で検出された色ヒストグラム情報に基づく抑制係数で補正される。
【００１２】
図４は、図１の映像表示装置のマトリクス回路において、色ヒストグラム情報（彩度ヒストグラム情報）により色飽和度変化すなわち彩度変化を抑制する場合の説明図である。（ａ）は、彩度（色飽和度または色の濃さ）の増大を抑制する場合の抑制係数（彩度増大抑制係数）を示す図、（ｂ）は、彩度（色飽和度または色の濃さ）の減少を抑制する場合の抑制係数（彩度減少抑制係数）を示す図である。
図４において、横軸は、色ヒストグラム検出部１３で検出された色ヒストグラム情報における所定の振幅部分の度数、縦軸は彩度変化（増大または減少）を抑制する抑制係数値である。図４（ａ）において、横軸における「ＳＡＴＵＰＨＳＴ０」は、色ヒストグラム情報における所定の振幅部分の度数の、彩度増大抑制範囲での最低ランク値、「ＳＡＴＵＰＨＳＴ１」は、色ヒストグラム情報における所定の振幅部分の度数の、彩度増大抑制範囲での最高ランク値、縦軸における「ＳＡＴＵＰＣＯＥＦ」は彩度増大抑制係数である。また、図４（ｂ）において、横軸における「ＳＡＴＤＯＷＮＨＳＴ０」は、色ヒストグラム情報における所定の振幅部分の度数の、彩度減少抑制範囲での最低ランク値、「ＳＡＴＤＯＷＮＨＳＴ１」は、色ヒストグラム情報における所定の振幅部分の度数の、彩度減少抑制範囲での最高ランク値、縦軸における「ＳＡＴＤＯＷＮＣＯＥＦ」は彩度減少抑制係数である。
【００１３】
上記図２で述べたように、例えば、平均輝度検出部１４で検出された平均輝度レベル（ＡＰＬ）が高く、該平均輝度レベル（ＡＰＬ）が閾値「ＳＡＴＵＰ」の下限値「ＡＰＬ０」以上のときは、マイコン１５は、映像信号の彩度を増大させるように、平均輝度レベル（ＡＰＬ）に応じた彩度の増大補正量を演算する。マイコン１５は、該増大補正量の演算結果値をさらに、図４（ａ）の彩度増大抑制係数「ＳＡＴＵＰＣＯＥＦ」によって補正する。すなわち、平均輝度検出部１４で検出された平均輝度レベル（ＡＰＬ）が高くて閾値「ＳＡＴＵＰ」の下限値「ＡＰＬ０」以上のとき、色ヒストグラム検出部１３で検出された色ヒストグラム情報における所定の振幅部分の度数が、例えば大振幅部分の度数が低い結果または小振幅部分の度数が高い結果、マイコン１５による判別により、最低ランク「ＳＡＴＵＰＨＳＴ０」と最高ランク「ＳＡＴＵＰＨＳＴ１」との間のランク値「ＳＡＴＵＰＨＳＴＭ」であったとすると、マイコン１５は、該ランク値「ＳＡＴＵＰＨＳＴＭ」に対応した彩度増大抑制係数「ＳＡＴＵＰＣＯＥＦＭ」により、上記彩度の増大補正量の演算結果値を補正し最終的な彩度増大補正量を求める。該補正は、例えば、該増大補正量「ＳＡＴＵＰ」の演算結果値に該彩度増大抑制係数「ＳＡＴＵＰＣＯＥＦＭ」を掛け合わせることにより行う。該求めた最終的な彩度増大補正量を、マイコン１５は彩度補正量として確定し設定する。
【００１４】
また、上記図２で述べたように、例えば、平均輝度検出部１４で検出された平均輝度レベル（ＡＰＬ）が低く、該平均輝度レベル（ＡＰＬ）が閾値「ＳＡＴＤＯＷＮ」の上限値「ＡＰＬ１」以下のときは、マイコン１５は、映像信号の彩度を減少させるように、平均輝度レベル（ＡＰＬ）に応じた彩度の減少補正量を演算する。マイコン１５は、該減少補正量の演算結果値をさらに、図４（ｂ）の彩度減少抑制係数「ＳＡＴＤＯＷＮＣＯＥＦ」によって補正する。すなわち、平均輝度検出部１４で検出された平均輝度レベル（ＡＰＬ）が低くて閾値「ＳＡＴＤＯＷＮ」の上限値「ＡＰＬ１」以下のとき、色ヒストグラム検出部１３で検出された色ヒストグラム情報における所定の振幅部分の度数が、例えば大振幅部分の度数が低い結果、または小振幅部分の度数が高い結果、マイコン１５による判別により、最低ランク「ＳＡＴＤＯＷＮＨＳＴ０」と最高ランク「ＳＡＴＤＯＷＮＨＳＴ１」との間のランク値「ＳＡＴＤＯＷＮＨＳＴＭ」であったとすると、マイコン１５は、該ランク値「ＳＡＴＤＯＷＮＨＳＴＭ」に対応した彩度増大抑制係数「ＳＡＴＤＯＷＮＣＯＥＦＭ」により、上記彩度の減少補正量の演算結果値を補正し最終的な彩度減少補正量を求める。該補正は、例えば、該減少補正量「ＳＡＴＤＯＷＮ」の演算結果値に該彩度減少抑制係数「ＳＡＴＤＯＷＮＣＯＥＦＭ」を掛け合わせることにより行う。該求めた最終的な彩度減少補正量を、マイコン１５は彩度補正量として確定し設定する。
【００１５】
図５は、図１の映像表示装置のマトリクス回路１６における平均輝度レベル情報と色ヒストグラム情報とに基づく、マイコン１５による色飽和度（彩度）制御の説明図である。（ａ）は、色飽和度（彩度）を減少させて色を薄くする場合、（ｂ）は、色飽和度（彩度）を増大させて色を濃くする場合である。平均輝度検出部１４で検出された平均輝度レベル（ＡＰＬ）は、マイコン１５により、高ランク、中ランク、低ランクの３つのランクにランク分けされ、色ヒストグラム検出部１３で検出された色ヒストグラム情報における大振幅部分及び小振幅部分の度数はそれぞれ、低ランクと高ランクの２つのランクにランク分けされるものとする。（ａ）の場合、平均輝度レベル（ＡＰＬ）が、高ランク及び中ランクである場合には、色ヒストグラム情報における大振幅部分の度数が低ランクであっても高ランクであっても、該色ヒストグラム情報には関係なく、マイコン１５は色飽和度（彩度）制御を行わない。平均輝度レベル（ＡＰＬ）が低ランクでかつ色ヒストグラム情報における大振幅部分の度数が低ランク（ほとんど無彩色）のときに、マイコン１５は、復調軸調整回路１６ａに復調軸調整を行わせて色飽和度（彩度）を減少させ、色を薄くする制御を行う。また、（ｂ）の場合、平均輝度レベル（ＡＰＬ）が、中ランク及び低ランクである場合には、色ヒストグラム情報における小振幅部分の度数が低ランクであっても高ランクであっても、該色ヒストグラム情報には関係なく、マイコン１５は色飽和度（彩度）制御を行わない。平均輝度レベル（ＡＰＬ）が高ランクでかつ色ヒストグラム情報における小振幅部分の度数が高ランク（色が濃い）のときに、マイコン１５は，復調軸調整回路１６ａに復調軸調整を行わせて色飽和度（彩度）を増大させ、色を濃くする制御を行う。
なお、平均輝度レベル（ＡＰＬ）が低ランクでかつ色ヒストグラム情報における小振幅部分の度数が高ランクのときにも、マイコン１５は色飽和度（彩度）を減少させ、色を薄くする制御を行う。また、平均輝度レベル（ＡＰＬ）が高ランクでかつ色ヒストグラム情報における大振幅部分の度数が低ランクのときにも、マイコン１５は、色飽和度（彩度）を増大させ、色を濃くする制御を行う。
【００１６】
図６は、図１の映像表示装置の色ヒストグラム検出部１３で検出される色ヒストグラム情報の例である。図６に示されるように、色飽和度すなわち彩度のレベルは複数領域に分割される。図６では小振幅、中小振幅、中大振幅、大振幅の４つの彩度レベル領域に分割される。そして１画面期間（１フレームまたは１フィールド期間）において、各４つのレベル（振幅）領域毎に、各々その領域に属する度数、すなわち画素数を色差信号から検出して、例示されるような色ヒストグラムを形成する。これにより、１画面当たりの彩度分布（色飽和度分布または色の濃さ分布）が把握される。本色ヒストグラムは色が濃い場合の例であって、大振幅部分の度数が高ランク、小振幅部分の度数が低ランクとなっている。本第１の実施例の映像表示装置では、かかる色ヒストグラム情報に基づき、マイコン１５が、マトリクス回路１６の復調軸調整回路１６ａを制御して、所定の色飽和度（彩度）とした映像信号をマトリクス回路１６に生成させ、出力させる。
【００１７】
図７は、図１の映像表示装置におけるマイコン１５による映像信号の色飽和度（彩度）補正制御の一動作例の説明図である。この動作例は、図２に示された制御特性に対応する。
図７において、
（１）マイコン１５は、映像信号の色飽和度（彩度）補正制御動作を開始する（ステップＳ７０１）。
（２）平均輝度検出部１４が、輝度信号Ｙから平均輝度レベル（ＡＰＬ）情報を検出し、色ヒストグラム検出部１３が、色差信号Ｃｂ、Ｃｒから色ヒストグラム情報を検出する（ステップＳ７０２）。マイコン１５は、検出された平均輝度レベル情報及び色ヒストグラム情報における所定の振幅部分の度数をランク分けする。
（３）マイコン１５は、上記検出された平均輝度レベル（ＡＰＬ）が、閾値「ＳＡＴＵＰ」の下限値「ＡＰＬ０」以上か否かを判別する（ステップＳ７０３）。
（４）ステップＳ７０３における判別の結果、平均輝度レベル（ＡＰＬ）が、閾値「ＳＡＴＵＰ」の下限値「ＡＰＬ０」以上である場合には、マイコン１５は、映像信号の彩度を増大させるように、平均輝度レベル（ＡＰＬ）に応じた彩度増大補正量を演算する（ステップＳ７０４）。
（５）マイコン１５は、色ヒストグラム情報における所定の振幅部分の度数ランクに基づき、彩度増大の抑制量（彩度増大抑制係数）を演算によって求める（ステップＳ７０５）。
（６）マイコン１５は、上記ステップＳ７０４で求めた彩度増大補正量を、上記ステップＳ７０５で求めた彩度増大抑制係数により補正し、新たに彩度増大補正量を求める（ステップＳ７０６）。
（７）マイコン１５は、上記ステップＳ７０６で求めた彩度増大補正量を、彩度補正量として確定する（ステップＳ７０７）。その後、映像信号の色飽和度（彩度）補正制御動作を終了させる（ステップＳ７１２）。
（８）上記ステップＳ７０３における判別の結果、上記検出された平均輝度レベル（ＡＰＬ）が、閾値「ＳＡＴＵＰ」の下限値「ＡＰＬ０」以上ではないとき、マイコン１５は、該平均輝度レベル（ＡＰＬ）が、閾値「ＳＡＴＤＯＷＮ」の上限値「ＡＰＬ１」以下か否かを判別する（ステップＳ７０８）。
（９）ステップＳ７０８における判別の結果、平均輝度レベル（ＡＰＬ）が、閾値「ＳＡＴＤＯＷＮ」の上限値「ＡＰＬ１」以下であるとき、マイコン１５は、映像信号の彩度を減少させるように、平均輝度レベル（ＡＰＬ）に応じた彩度減少補正量を演算する（ステップＳ７０９）。
（１０）マイコン１５は、色ヒストグラム情報における所定の振幅部分の度数ランクに基づき、彩度減少の抑制量（彩度減少抑制係数）を演算によって求める（ステップＳ７１０）。
（１１）マイコン１５は、上記ステップＳ７０９で求めた彩度減少補正量を、上記ステップＳ７１０で求めた彩度減少抑制係数により補正し、新たに彩度減少補正量を求める（ステップＳ７１１）。
（１２）マイコン１５は、上記ステップＳ７１１で求めた新たな彩度減少補正量を、彩度補正量として確定する（ステップＳ７０７）。その後、マイコン１５は、映像信号の色飽和度（彩度）補正制御動作を終了させる（ステップＳ７１２）。
（１３）上記ステップＳ７０８における判別の結果、平均輝度レベル（ＡＰＬ）が、閾値「ＳＡＴＤＯＷＮ」の上限値「ＡＰＬ１」以下ではないとき、マイコン１５は、上記ステップＳ７０７の動作を行い、彩度補正量を確定する。
上記（１）〜（１３）の一連の補正制御動作は、制御手段または制御部としてのマイコン１５が、プログラムに従って上記一連の手順を実行することで自動的に行われる。該プログラムは、該マイコン１５内のメモリや映像表示装置内の他のメモリ（図示なし）などに予め記憶されているものとする。
【００１８】
図８は、図１の映像表示装置におけるマイコン１５による映像信号の色飽和度（彩度）補正制御の、他の動作例を説明する図である。この補正制御の動作は、特に表示部１７が液晶パネルであるときに実行されるものであり、図３に示された制御特性に対応する。以下にその動作の流れを説明する。
図８において、
（１）マイコン１５は、映像信号の色飽和度（彩度）補正制御動作を開始する（ステップＳ８０１）。
（２）平均輝度検出部１４が、輝度信号Ｙから平均輝度レベル（ＡＰＬ）情報を検出し、色ヒストグラム検出部１３が、色差信号Ｃｂ、Ｃｒから色ヒストグラム情報を検出する（ステップＳ８０２）。マイコン１５は、検出された平均輝度レベル情報及び色ヒストグラム情報における所定の振幅部分の度数をランク分けする。
（３）マイコン１５は、上記検出された平均輝度レベル（ＡＰＬ）が、閾値「ＳＡＴＵＰ」の上限値「ＡＰＬ１」以下か否かを判別する（ステップＳ８０３）。
（４）ステップＳ８０３における判別の結果、平均輝度レベル（ＡＰＬ）が、閾値「ＳＡＴＵＰ」の上限値「ＡＰＬ１」以下である場合には、マイコン１５は、映像信号の彩度を増大させるように、平均輝度レベル（ＡＰＬ）に応じた彩度増大補正量を演算する（ステップＳ８０４）。
（５）マイコン１５は、色ヒストグラム情報における所定の振幅部分の度数ランクに基づき、彩度増大の抑制量（彩度増大抑制係数）を演算によって求める（ステップＳ８０５）。
（６）マイコン１５は、上記ステップＳ８０４で求めた彩度増大補正量を、上記ステップＳ８０５で求めた彩度増大抑制係数により補正し、新たに彩度増大補正量を求める（ステップＳ８０６）。
（７）マイコン１５は、上記ステップＳ８０６で求めた彩度増大補正量を、彩度補正量として確定する（ステップＳ８０７）。その後、映像信号の色飽和度（彩度）補正制御動作を終了させる（ステップＳ８１２）。
（８）上記ステップＳ８０３における判別の結果、上記検出された平均輝度レベル（ＡＰＬ）が、閾値「ＳＡＴＵＰ」の上限値「ＡＰＬ１」以下ではないとき、マイコン１５は、該平均輝度レベル（ＡＰＬ）が、閾値「ＳＡＴＤＯＷＮ」の下限値「ＡＰＬ０」以下か否かを判別する（ステップＳ８０８）。
（９）ステップＳ８０８における判別の結果、平均輝度レベル（ＡＰＬ）が、閾値「ＳＡＴＤＯＷＮ」の下限値「ＡＰＬ０」以下であるとき、マイコン１５は、映像信号の彩度を減少させるように、平均輝度レベル（ＡＰＬ）に応じた彩度減少補正量を演算する（ステップＳ８０９）。
（１０）マイコン１５は、色ヒストグラム情報における所定の振幅部分の度数ランクに基づき、彩度減少の抑制量（彩度減少抑制係数）を演算によって求める（ステップＳ８１０）。
（１１）マイコン１５は、上記ステップＳ８０９で求めた彩度減少補正量を、上記ステップＳ８１０で求めた彩度減少抑制係数により補正し、新たに彩度減少補正量を求める（ステップＳ８１１）。
（１２）マイコン１５は、上記ステップＳ８１１で求めた新たな彩度減少補正量を、彩度補正量として確定する（ステップＳ８０７）。その後、マイコン１５は、映像信号の色飽和度（彩度）補正制御動作を終了させる（ステップＳ８１２）。
（１３）上記ステップＳ８０８における判別の結果、平均輝度レベル（ＡＰＬ）が、閾値「ＳＡＴＤＯＷＮ」の下限値「ＡＰＬ０」以上ではないとき、マイコン１５は、上記ステップＳ８０７の動作を行い、彩度補正量を確定する。
上記（１）〜（１３）の一連の補正制御動作は、制御手段または制御部としてのマイコン１５が、プログラムに従って上記一連の手順を実行することで自動的に行われる。該プログラムは、該マイコン１５内のメモリや映像表示装置内の他のメモリ（図示なし）などに予め記憶されているものとする。
【００１９】
上記本発明の第１の実施例によれば、映像表示装置において、輝度レベルと色分布状態に対応した適切な色飽和度の映像信号を生成することができ、これによって高画質の映像表示が可能となる。特に、マトリクス回路１６で色の濃さを変える構成であるため、該色の濃さと併せ、赤、緑、青のいずれかの色のみのゲインを変えられ、これによって、きめの細かい色制御が可能となる。
なお、上記で挙げた制御動作の特性はあくまでも一例であり、様々な制御特性で色飽和度（彩度）を制御することが可能である。例えば、図５（ａ）においては、平均輝度レベル（ＡＰＬ）が高ランクで、かつ色ヒストグラム情報における大振幅部分の度数が高ランクのときは「何もしない」としている。しかしながら、このような映像は明るくかつ色が濃いため、映像全体がぎらついて見える場合がある。従って、そのような場合は、図５（ａ）のように「何もしない」ではなく「色を薄くする」として、よりソフトな印象の映像となるように制御してもよい。また、いろいろな制御特性に対応した動作手順をマイコン１５に実行させるためのプログラムを準備しておき、これを適宜選択してマイコン１５に実行させるようにしてもよい。
【００２０】
図９は、図１の映像表示装置の色ヒストグラム検出部１３で検出される色ヒストグラム情報の他の例であって、Ｒ−Ｙ軸、Ｂ−Ｙ軸で振幅領域平面を形成し、これに垂直に度数軸を設けた３次元の色ヒストグラムの例である。振幅領域平面内では、原点に対し同心状に振幅領域が形成され、内周側が小振幅領域、外周側が大振幅領域とされる。本３次元の色ヒストグラムによれば、色毎の色の濃さが同時に示されるため、色飽和度（彩度）を制御すべき色の特定と制御量などを短時間で正確に把握することができ、制御性能の向上とそれによる高画質化が可能となる。例えば、図１２において、Ｇは、中大振幅領域（ロ）にある緑成分の色ヒストグラムである。この映像信号の緑色の色飽和度（彩度または色の濃さ）が異常に高いとき、これを減らす制御を行った場合には、他の色成分とのバランス度が改善され、鮮やかな映像を表示することができる。特に、本３次元の色ヒストグラム情報に基づき、マトリクス回路１６で色の濃さの制御を行う構成では、かかる色成分毎の制御が容易であり、また所望色相の制御も可能となる。
【００２１】
図１０〜図１２は、本発明の第２の実施例の説明図である。本第２の実施例は、輝度ヒストグラム情報と色ヒストグラム情報とに基づき映像信号の色飽和度を制御する場合である。図１０は、第２の実施例としての映像表示装置を構成する映像信号処理回路の構成例図、図１１は、図１０の映像信号処理回路中のマトリクス回路において、輝度ヒストグラム情報に応じ映像信号の色飽和度を増大または減少させる場合の説明図、図１２は、図９の映像信号処理回路中のマトリクス回路における輝度ヒストグラム情報と色ヒストグラム情報とに基づく色飽和度制御の説明図である。
【００２２】
図１０において、１８は、輝度信号Ｙから輝度ヒストグラム情報を検出する検出手段としての輝度ヒストグラム検出部である。他の構成要素は、図１に示す第１の実施例の場合と同様である。制御手段または制御部としてのマイコン１５では、検出された上記輝度ヒストグラム情報及び色ヒストグラム情報に基づき、復調軸調整回路１６ａを制御するための制御信号を形成する。該復調軸調整回路１６ａでは、該制御信号により復調軸調整動作が制御される。すなわち、該復調軸調整回路１６ａでは、上記輝度ヒストグラム情報及び色ヒストグラム情報に基づき、映像信号の色飽和度を増減させる復調軸調整が行われる。
【００２３】
上記構成において、制御手段または制御部としてのマイコン１５は、検出された上記輝度ヒストグラム情報と上記色ヒストグラム情報における所定の振幅部分の度数とをそれぞれ、基準値と比較して複数ランクにランク分けし該ランクを判別する。例えば、上記輝度ヒストグラム検出部１８で検出された輝度ヒストグラムにおける所定の振幅部分の度数が低く（低ランク）、かつ色ヒストグラム検出部１３で検出された色ヒストグラム情報における大振幅部分の度数が低い（低ランク）ときまたは小振幅部分の度数が高い（高ランク）ときは、マトリクス回路１６の復調軸調整回路１６ａに対し、映像信号の色飽和度（色の濃さまたは彩度）を下げるような復調軸調整を行わせて色を薄くさせる制御を行う。マイコン１５は、また、上記輝度ヒストグラムにおける所定の振幅部分の度数が高く（高ランク）、かつ上記色ヒストグラム情報における上記大振幅部分の度数が低いときまたは上記小振幅部分の度数が高いときには、復調軸調整回路１６ａに色飽和度を上げる復調軸調整を行わせて色を濃くさせる制御を行う。さらに、マイコン１５は、上記輝度ヒストグラム検出部１８で検出された輝度ヒストグラムにおける所定の振幅部分の度数が低く、かつ上記色ヒストグラム検出部１３で検出された色ヒストグラム情報における大振幅部分の度数が高いときは、上記復調軸調整回路１６ａに映像信号の色飽和度を下げる復調軸調整を行わせ、暗い映像における色乗りを減らす制御を行う。
【００２４】
図１１は、図１０の映像信号処理回路のマトリクス回路１６において、輝度ヒストグラム情報に応じ映像信号の色飽和度（彩度または色の濃さと同じ）を増大または減少させる場合の説明図である。本場合は、輝度ヒストグラムにおける所定の振幅部分の度数が高いときに色飽和度を上げ、該度数が低いときに色飽和度を下げるとした例である。
図１１において、横軸は輝度ヒストグラムにおける所定の振幅部分の度数ランク（ＨＳＴ）、縦軸は映像信号の色飽和度補正量すなわち彩度補正量（ゲイン）である。横軸における「ＳＡＴＵＰ」、「ＳＡＴＤＯＷＮ」はそれぞれ、輝度ヒストグラムにおける所定の振幅部分の度数ランク（ＨＳＴ）の閾値、「ＨＳＴ１」は、閾値「ＳＡＴＵＰ」、「ＳＡＴＤＯＷＮ」それぞれの上限値、「ＨＳＴ０」は、閾値「ＳＡＴＵＰ」、「ＳＡＴＤＯＷＮ」それぞれの下限値、縦軸における「ＳＡＴＵＰＧＡＩＮ」は彩度補正量の上限値、「ＳＡＴＤＯＷＮＧＡＩＮ」は彩度補正量の下限値である。例えば、輝度ヒストグラム検出部１８で検出された輝度ヒストグラムにおける所定の振幅部分の度数ランク（ＨＳＴ）が高く、マイコン１５による判別の結果、閾値「ＳＡＴＵＰ」の下限値「ＨＳＴ０」以上のときは、マイコン１５は、映像信号の彩度を増大させるように、輝度ヒストグラムにおける該所定の振幅部分の度数ランク（ＨＳＴ）に応じた彩度の増大補正量を演算する。また、輝度ヒストグラム検出部１８で検出された輝度ヒストグラムにおける該所定の振幅部分の度数ランク（ＨＳＴ）が低く、マイコン１５による判別の結果、閾値「ＳＡＴＤＯＷＮ」の上限値「ＨＳＴ１」以下のときは、マイコン１５は、映像信号の彩度を減らすように、輝度ヒストグラムにおける該所定の振幅部分の度数ランク（ＨＳＴ）に応じた彩度の減少補正量を演算する。これら彩度の増大補正量や減少補正量の演算結果はさらに、マイコン１５により、色ヒストグラム検出部１３で検出された色ヒストグラム情報に基づく抑制係数で補正される。
【００２５】
上記輝度ヒストグラム情報及び色ヒストグラム情報に基づく映像信号の色飽和度補正制御の動作手順は、上記第１の実施例における平均輝度レベル情報と色ヒストグラム情報に基づく場合の動作手順（図７）に準じ、概略以下のようになる。すなわち、
（１）マイコン１５は、映像信号の色飽和度（彩度）補正制御動作を開始する。
（２）輝度ヒストグラム検出部１８が、輝度信号Ｙから輝度ヒストグラム情報を検出し、色ヒストグラム検出部１３が、色差信号Ｃｂ、Ｃｒから色ヒストグラム情報を検出する。マイコン１５は、該検出された輝度ヒストグラム情報及び色ヒストグラム情報における所定の振幅部分の度数をランク分けする。
（３）マイコン１５は、上記検出された輝度ヒストグラムにおける所定の振幅部分の度数ランク（ＨＳＴ）が、閾値「ＳＡＴＵＰ」の下限値「ＨＳＴ０」以上か否かを判別する。
（４）上記判別の結果、上記度数ランク（ＨＳＴ）が、閾値「ＳＡＴＵＰ」の下限値「ＨＳＴ０」以上である場合には、マイコン１５は、映像信号の彩度を増大させるように、該輝度ヒストグラムの振幅部分の度数ランク（ＨＳＴ）に応じた彩度増大補正量を演算する。
（５）マイコン１５は、色ヒストグラム情報における所定の振幅部分の度数ランクに基づき、彩度増大の抑制量（彩度増大抑制係数）を演算によって求める。
（６）マイコン１５は、上記彩度増大補正量を、上記彩度増大抑制係数により補正し、新たに彩度増大補正量を求める。
（７）マイコン１５は、上記求めた補正された彩度増大補正量を、彩度補正量として確定する。その後、映像信号の色飽和度（彩度）補正制御動作を終了させる。
（８）上記検出された輝度ヒストグラムの判別の結果、該輝度ヒストグラムにおける所定の振幅部分の度数ランク（ＨＳＴ）が、閾値「ＳＡＴＵＰ」の下限値「ＨＳＴ０」以上ではないとき、マイコン１５は、該輝度ヒストグラムにおける所定の振幅部分の度数ランク（ＨＳＴ）が、閾値「ＳＡＴＤＯＷＮ」の上限値「ＨＳＴ１」以下か否かを判別する。
（９）上記判別の結果、輝度ヒストグラムにおける所定の振幅部分の度数ランク（ＨＳＴ）が、閾値「ＳＡＴＤＯＷＮ」の上限値「ＨＳＴ１」以下であるとき、マイコン１５は、映像信号の彩度を減少させるように、該輝度ヒストグラムにおける度数ランク（ＨＳＴ）に応じた彩度減少補正量を演算する。
（１０）マイコン１５は、色ヒストグラム情報における所定の振幅部分の度数ランクに基づき、彩度減少の抑制量（彩度減少抑制係数）を演算によって求める。
（１１）マイコン１５は、上記彩度減少補正量を、上記彩度減少抑制係数により補正し、新たに彩度減少補正量を求める。
（１２）マイコン１５は、上記補正された新たな彩度減少補正量を、彩度補正量として確定する。その後、マイコン１５は、映像信号の色飽和度（彩度）補正制御動作を終了させる。
（１３）上記判別の結果、上記輝度ヒストグラムにおける所定の振幅部分の度数ランク（ＨＳＴ）が、閾値「ＳＡＴＤＯＷＮ」の上限値「ＨＳＴ１」以下ではないとき、マイコン１５は、彩度補正量を確定する。
上記（１）〜（１３）の一連の補正制御動作も、制御手段または制御部としてのマイコン１５が、プログラムに従って上記一連の手順を実行することで自動的に行われる。該プログラムは、該マイコン１５内のメモリや映像表示装置内の他のメモリ（図示なし）などに予め記憶されているものとする。
【００２６】
図１２は、図１０の映像信号処理回路中のマトリクス回路１６における輝度ヒストグラム情報と色ヒストグラム情報とに基づく色飽和度制御の説明図である。（ａ）は、色飽和度（彩度）を減少させて色を薄くする場合、（ｂ）は、色飽和度（彩度）を増大させて色を濃くする場合である。本図１２の場合、輝度ヒストグラム検出部１８で検出された輝度ヒストグラムにおける大振幅部分の度数は、マイコン１５により、高ランク、中ランク、低ランクの３つのランクにランク分けされ、色ヒストグラム検出部１３で検出された色ヒストグラム情報における大振幅部分及び小振幅部分の度数はそれぞれ、低ランクと高ランクの２つのランクにランク分けされるものとする。（ａ）の場合、輝度ヒストグラムにおける大振幅部分の度数が、高ランク及び中ランクである場合には、色ヒストグラム情報における大振幅部分の度数が低ランクであっても高ランクであっても、該色ヒストグラム情報には関係なく、マイコン１５は色飽和度（彩度）制御を行わない。輝度ヒストグラムにおける大振幅部分の度数が低ランクでかつ色ヒストグラム情報における大振幅部分の度数が低ランク（ほとんど無彩色）のときに、マイコン１５は、復調軸調整回路１６ａに復調軸調整を行わせて色飽和度（彩度）を減少させ、色を薄くする制御を行う。また、（ｂ）の場合、輝度ヒストグラムにおける大振幅部分の度数が、中ランク及び低ランクである場合には、色ヒストグラム情報における小振幅部分の度数が低ランクであっても高ランクであっても、該色ヒストグラム情報には関係なく、マイコン１５は色飽和度（彩度）制御を行わない。輝度ヒストグラムにおける大振幅部分の度数が高ランクでかつ色ヒストグラム情報における小振幅部分の度数が高ランク（色が濃い）のときに、マイコン１５は，復調軸調整回路１６ａに復調軸調整を行わせて色飽和度（彩度）を増大させ、色を濃くする制御を行う。
【００２７】
なお、輝度ヒストグラムにおける大振幅部分の度数が低ランクでかつ色ヒストグラム情報における小振幅部分の度数が高ランクのときにも、マイコン１５は色飽和度（彩度）を減少させ、色を薄くする制御を行う。また、輝度ヒストグラムにおける大振幅部分の度数が高ランクでかつ色ヒストグラム情報における大振幅部分の度数が低ランクのときにも、マイコン１５は、色飽和度（彩度）を増大させ、色を濃くする制御を行う。
上記図１０の映像信号処理回路を用いた映像表示装置では、上記制御された色飽和度（彩度）の映像信号により表示部（図示なし）に映像表示される。
【００２８】
上記本発明の第２の実施例によっても、輝度レベルと色分布状態に対応した適切な色飽和度の映像信号を生成することができ、これによって高画質の映像表示が可能となる。色の濃さと併せ、全色相のうち赤、緑、青のいずれかの色もしくはそれらの組み合わせのみのゲインを変えられ、これによって、きめの細かい色制御が可能となる。すなわち、この実施例では、赤、青、緑などの所望の色相範囲にある彩度（色の濃さまたは色飽和度と同じ意味）を他の色相の彩度とは独立して制御することが可能となる。例えば、平均輝度レベル（ＡＰＬ）が高いときは、緑及び赤の彩度を制御せずに青の彩度のみを高めるように制御することが可能となる。これによって、例えば海または空等の比較的濃い青色を含む明るい映像について、海または空を更に濃くしてより美しく表示することが可能となる。また、青と緑をともに他の色相とは独立して彩度を濃くするように制御してもよいし、青と緑は彩度を上げ、赤については彩度を下げるように制御してもよい。このように、本実施例は、所定もしくは所望の色相について輝度情報及び色（彩度）ヒストグラム情報に基づき色飽和度を制御しているため、よりきめ細かな色の調整が可能となる。
【００２９】
さらに、上記第２の実施例の映像表示装置の映像信号処理回路における色ヒストグラム検出部１３として、上記図１２に示したような３次元の色ヒストグラムを検出する構成のものを用いた場合には、色毎の色の濃さが同時に示されるため、色飽和度（彩度）を制御すべき色の特定と制御量などを短時間で正確に把握することができ、マトリクス回路１６の機能と併せ、色飽和度（彩度）制御性能の向上とそれによる高画質化が可能となる。また、色相の制御も可能となる。
【００３０】
また、上記第２の実施例の映像表示装置の表示部に液晶パネルを用いた場合には、輝度ヒストグラム情報に応じて色飽和度（彩度）を変化させるとき、上記第１の実施例の映像表示装置の表示部に液晶パネルを用いた場合において平均輝度レベル（ＡＰＬ）に応じ色飽和度（彩度）を変化させる場合（図３）と同様にして変化させる。また、この場合（第２の実施例の映像表示装置の表示部に液晶パネルを用いた場合）の、マイコン１５による輝度ヒストグラム情報と色ヒストグラム情報とに基づく映像信号の色飽和度（彩度）補正制御の動作は、上記第１の実施例の映像表示装置の表示部に液晶パネルを用いた場合における平均輝度レベル（ＡＰＬ）と色ヒストグラム情報とに基づく色飽和度（彩度）補正制御動作（図８）と同様の動作となる。
【００３１】
なお、上記各実施例では、制御手段または制御部としてマイコン１５を用いるとしたが、本発明はこれに限定されず、他の制御手段または制御部を用いてもよい。表示部１７も、特に限定されず、液晶パネルやプラズマディスプレイパネルやＣＲＴなどを用いたものであってもよい。
【図面の簡単な説明】
【００３２】
【図１】本発明の第１の実施例としての映像表示装置の基本構成図である。
【図２】図１の映像表示装置で平均輝度レベルに応じ色飽和度を変える場合の説明図である。
【図３】図１の映像表示装置の表示部が液晶パネルの場合の色飽和度変化の説明図である。
【図４】図１の映像表示装置の色ヒストグラム情報で色飽和度を抑制する説明図である。
【図５】図１の映像表示装置における色飽和度制御の説明図である。
【図６】図１の映像表示装置における色ヒストグラム情報の検出例である。
【図７】図１の映像表示装置における映像信号の色飽和度補正の一動作例図である。
【図８】図１の映像表示装置における映像信号の色飽和度補正の他の動作例図である。
【図９】３次元の色ヒストグラム情報の検出例である。
【図１０】本発明の第２の実施例の映像表示装置を構成する映像信号処理回路の構成例図である。
【図１１】図１０の映像信号処理回路における輝度ヒストグラム情報に応じ色飽和度を変える場合の説明図である。
【図１２】図１０の映像信号処理回路における色飽和度制御の説明図である。
【符号の説明】
【００３３】
１１…アンテナ、
１２…デジタルチューナ、
１３…色ヒストグラム検出部、
１４…平均輝度検出部、
１５…マイコン、
１６…マトリクス回路、
１６ａ…復調軸調整回路、
１６ｂ…マトリクス変換回路、
１７…表示部、
１８…輝度ヒストグラム検出部。
【図１】
2006311179.tif 000003
【図２】
2006311179.tif 000004
【図３】
2006311179.tif 000005
【図４】
2006311179.tif 000006
【図５】
2006311179.tif 000007
【図６】
2006311179.tif 000008
【図７】
2006311179.tif 000009
【図８】
2006311179.tif 000010
【図９】
2006311179.tif 000011
【図１０】
2006311179.tif 000012
【図１１】
2006311179.tif 000013
【図１２】
2006311179.tif 000014